(57)【要約】【課題】上下方向の傾きを抑制することができる照明装置を提供する。【解決手段】照明装置１は、開口部（第一開口部２０）を有する長尺な装置本体２と、装置本体２に収容される回路基板２６０ａ、２６０ｂとを備え、回路基板２６０ａ、２６０ｂに実装される複数の回路部品は、重量が所定値よりも重い第一回路部品２６１と、重量が所定値よりも軽い第二回路部品２６２とを含み、第一回路部品２６１の実装密度が装置本体２の開口部側で高くなるように、配置されている。【選択図】図６
2019016551.tif 000002
【特許請求の範囲】
【請求項１】
開口部を有する長尺な装置本体と、
前記装置本体に収容される回路基板とを備え、
前記回路基板に実装される複数の回路部品は、重量が所定値よりも重い第一回路部品と、重量が所定値よりも軽い第二回路部品とを含み、前記第一回路部品の実装密度が前記装置本体の開口部側で高くなるように、配置されている
照明装置。
【請求項２】
さらに、前記装置本体から外方に向けて延設するように、前記装置本体に取り付けられた導光板を備える
請求項１に記載の照明装置。
【請求項３】
前記導光板は、前記装置本体における互いに対向する長尺な一対の縁辺のそれぞれから外方に向けて延設している
請求項２に記載の照明装置。
【請求項４】
前記装置本体には、当該装置本体と、前記照明装置が取り付けられる造営材との間に介在する緩衝材が設けられている
請求項１〜３のいずれか一項に記載の照明装置。
【発明の詳細な説明】
【技術分野】
【０００１】
本発明は、長尺な照明装置に関する。
【背景技術】
【０００２】
従来、例えば、天井に配置される照明装置であるシーリングライトが知られている。例えば、特許文献１に記載の従来のシーリングライトは、装置本体である長尺状の筐体と、一対の導光板とが備えられている。一対の導光板は、筐体を挟むように当該筐体に保持されている。具体的には、導光板の一端部が筐体に支持されて、他端部が筐体から張り出した構造となっている。そして、導光板は、筐体内のＬＥＤモジュールから発せられた光を導光して、出射面から出射することで、天井下の領域を照明するようになっている。
【０００３】
また、筐体は、二本の支柱によって天井から吊り下げられている。
【先行技術文献】
【特許文献】
【０００４】
【特許文献１】特開２０１７−１０７８２１号公報
【発明の概要】
【発明が解決しようとする課題】
【０００５】
ところで、照明装置によっては、筐体を一箇所で天井に固定するものもあるが、単に一箇所で長尺状の筐体を天井に固定しただけでは、照明装置自体が上下方向に傾いてしまうおそれがある。
【０００６】
このため、本発明は、上下方向の傾きを抑制することができる照明装置を提供することを目的とする。
【課題を解決するための手段】
【０００７】
上記目的を達成するために、本発明に係る照明装置の一態様は、開口部を有する長尺な装置本体と、装置本体に収容される回路基板とを備え、回路基板に実装される複数の回路部品は、重量が所定値よりも重い第一回路部品と、重量が所定値よりも軽い第二回路部品とを含み、第一回路部品の実装密度が装置本体の開口部側で高くなるように、配置されている。
【発明の効果】
【０００８】
本発明によれば、上下方向の傾きを抑制することができる照明装置を提供することができる。
【図面の簡単な説明】
【０００９】
【図１】図１は、実施の形態に係る照明装置を示す斜視図である。
【図２】図２は、実施の形態に係る照明装置を示す分解斜視図である。
【図３】図３は、図１のＩＩＩ−ＩＩＩ線を含む切断面を見た、照明装置の部分断面図である。
【図４】図４は、実施の形態に係る外装カバーの概略構成を示す上面図である。
【図５】図５は、実施の形態に係る第二収容部と、当該第二収容部に収容される各部材との概略構成を示す分解斜視図である。
【図６】図６は、実施の形態に係る第二収容部と、当該第二収容部に収容される各部材との概略構成を示す平面図である。
【発明を実施するための形態】
【００１０】
以下、実施の形態について、図面を参照しながら説明する。なお、以下に説明する実施の形態は、本発明の一具体例を示すものである。したがって、以下の実施の形態示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付しており、重複する説明は省略または簡略化される場合がある。
【００１２】
［構成］
図１は、実施の形態に係る照明装置１を示す斜視図である。図２は、実施の形態に係る照明装置１を示す分解斜視図である。図３は、図１のＩＩＩ−ＩＩＩ線を含む切断面を見た、照明装置１の部分断面図である。
【００１３】
ここでは、照明装置１の装置本体２の短手方向をＸ軸方向と規定し、装置本体２の長手方向をＹ軸方向と規定し、Ｘ軸方向とＹ軸方向とに直交する方向をＺ軸方向と規定する。また、装置本体２に対する第一導光板３側をＸ軸プラス方向と規定し、本体モジュール２０の第一開口部２０ａに対する第二開口部１２０ｂ側をＹ軸プラス方向と規定し、照明装置１を取付ける天井側をＺ軸プラス方向と規定する。本実施の形態では、説明の便宜上、Ｚ軸方向を上下方向として説明するが、照明装置１の使用形態によってはＺ軸方向が上下方向とならない場合もある。
【００１４】
図１及び図２に示すように、照明装置１は、エッジライト方式の導光板を用いており、天井および壁などの造営材に固定されている。具体的には、照明装置１は、天井に配設されている引っ掛けシーリング１１等の外部の電源と電気的に接続された状態で固定されている。
【００１５】
照明装置１は、装置本体２と、第一導光板３と、第二導光板４と、第一遮光部材５と、第二遮光部材６と、透光カバー７とを備えている。
【００１６】
装置本体２は、Ｙ軸方向に長尺な箱状体である。装置本体２は、外装カバー１２と、本体モジュール２０と、一対のレンズカバー２３と、制御部１３と、受信部１４と、電源部１５とを有する。
【００１７】
図４は、実施の形態に係る外装カバー１２の概略構成を示す上面図である。図２及び図４に示すように、外装カバー１２は、Ｙ軸方向に長尺な矩形状の箱体であり、Ｚ軸プラス方向及びＺ軸マイナス方向で開放されている。具体的には、外装カバー１２は、Ｚ軸マイナス方向側では、全体が開放されており、Ｚ軸プラス方向側では、中央部分が略矩形状に開放されている。このＺ軸プラス方向側の開放部１３０を挟むように、外装カバー１２における天面には、一対の緩衝材３００が貼り付けられている。この緩衝材３００は、例えばゴムやウレタンなどの弾性体から形成されている。緩衝材３００は、外方に向けて凸となる弧状に形成されている。緩衝材３００は、照明装置１が造営材に固定されると、当該造営材と外装カバー１２とによって挟まれて僅かに収縮する。これにより、照明装置１の揺れが緩衝材３００によって吸収されることになる。造営材と外装カバー１２との間隔は、設置場所によって異なる場合がある。このため、設置場所に応じて緩衝材３００の厚み（Ｚ軸方向の高さ）を調整すれば、当該緩衝材３００が造営材と外装カバー１２とによって挟まれた状態とすることができる。
【００１８】
また、外装カバー１２は、本体モジュール２０、第一遮光部材５、第二遮光部材６、制御部１３、受信部１４、電源部１５等を収容している。外装カバー１２は、照明装置１の外側のカバーである。
【００１９】
本体モジュール２０は、Ｙ軸方向に長尺な矩形状であり、中央部分に円形状の第一開口部２０ａを有する。第一開口部２０ａは取付用の開口部であり、本体モジュール２０が、この第一開口部２０ａを介して引っ掛けシーリング１１に取り付けられる。これにより、本体モジュール２０と引っ掛けシーリング１１とが電気的に接続される。また、本体モジュール２０は、一対の発光モジュール２１と、収容体２５と、一対の支持部材８とを有する。
【００２０】
［発光モジュール］
図２に示すように、一対の発光モジュール２１は、例えばネジ等の締結部材１９により収容体２５に固定されている。具体的には、一対の発光モジュール２１は、第一開口部２０ａを挟むように、第一開口部２０ａに対してＹ軸プラス方向側及びＹ軸マイナス方向側にそれぞれ配置されている。なお、本実施の形態では、２つの発光モジュール２１を用いているが、１つの発光モジュール２１であってもよい。
【００２１】
図２及び図３に示すように、発光モジュール２１は、基板１２０と、複数の第一光源１２１と、複数の第二光源１２２と、複数の配線部材１２０ａとを有する。
【００２２】
基板１２０は、Ｙ軸方向に長尺な矩形板状である。基板１２０には、複数の第一光源１２１及び複数の第二光源１２２が実装されている。基板１２０は、Ｘ−Ｙ平面と略平行となるように、本体モジュール２０の収容体２５に設置されている。基板１２０には、複数の第一光源１２１及び複数の第二光源１２２に給電する配線部材１２０ａが固定されている。基板１２０は、配線部材１２０ａに接続された不図示のケーブルを介して電源部１５と電気的に接続されている。本実施の形態では、配線部材１２０ａは、第一光源１２１と第二光源１２２との間に配置されている。
【００２３】
Ｙ軸プラス方向側の基板１２０には、第二開口部１２０ｂが形成されている。第二開口部１２０ｂは、発光モジュール２１のＹ軸プラス方向の端部側に形成されている。発光モジュール２１を平面視した場合に、受信部１４は、第二開口部１２０ｂと重なるように、形成されている。これにより、受信部１４は、リモコンから送信される制御信号を受信し易くなる。第二開口部１２０ｂは、開口部の一例である。
【００２４】
基板１２０は、第一光源１２１及び第二光源１２２が発した熱を放熱するように、図示しない放熱部に熱的に接続されていてもよい。放熱部は、外装カバー１２にも熱的に接続されていてもよく、外装カバー１２をヒートシンクとして機能させてもよい。
【００２５】
複数の第一光源１２１は、Ｙ軸方向に長尺なマトリクス状となるように、基板１２０に配列されている。複数の第二光源１２２の一部は、複数の第一光源１２１に対してＸ軸プラス方向側でＹ軸方向に沿って配列されている。一方、その他の複数の第二光源１２２は、複数の第一光源１２１に対してＸ軸マイナス方向側でＹ軸方向に沿って配列されている。言い換えれば、複数の第一光源１２１に対し、Ｘ軸プラス方向側で配列されている複数の第二光源１２２と、Ｘ軸マイナス方向側で配列されている複数の第二光源１２２とは、複数の第一光源１２１を挟むように基板１２０に配列されている。
【００２６】
第一光源１２１及び第二光源１２２は、光の出射方向がＺ軸マイナス方向を向いているため、Ｚ軸マイナス方向に光を出射する。光の出射方向、つまり第一光源１２１及び第二光源１２２の各々の光軸は、Ｚ軸方向と略平行である。
【００２７】
Ｘ軸プラス方向側で配列されている複数の第二光源１２２の光の出射方向側には、第一導光板３が配置されている。また、Ｘ軸マイナス方向側で配列されている複数の第二光源１２２の光の出射方向側には、第二導光板４が配置されている。Ｘ軸プラス方向側の第二光源１２２は、第一導光板３の入射面３１ａに光を照射する。また、Ｘ軸マイナス方向側の第二光源１２２は、第二導光板４の入射面３１ａに光を照射する。第二光源１２２は、光の出射方向がＺ軸マイナス方向に向くように基板１２０に配列されている。具体的には、Ｘ軸プラス方向側の第二光源１２２は、光軸が第一導光板３の入射面３１ａに略直交して、入射面３１ａと対向するように配置されている。また、Ｘ軸マイナス方向側の第二光源１２２は、光軸が第二導光板４の入射面３１ａに略直交して、入射面３１ａと対向するように配置されている。つまり、第二光源１２２は、第一導光板３及び第二導光板４の各々の入射面３１ａと略垂直な関係にある。
【００２８】
また、第二光源１２２と第一導光板３及び第二導光板４との間には、第二光源１２２と第一導光板３及び第二導光板４とが接触しないように隙間が空けられている。
【００２９】
第一光源１２１及び第二光源１２２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。例えば、青色ＬＥＤチップと黄色蛍光体含有樹脂との組み合わせにより白色光を放出する表面実装型ＬＥＤ素子が、第一光源１２１及び第二光源１２２として採用される。
【００３０】
第一光源１２１及び第二光源１２２は、制御部１３により制御されて点灯及び消灯を行う。また、第一光源１２１及び第二光源１２２は、制御部１３により制御されて調光及び調色が行われる。
【００３１】
なお、第一光源１２１及び第二光源１２２は、このような構成に限定されず、基板１２０上にＬＥＤチップが直接的に実装されたＣＯＢ（Ｃｈｉｐ  Ｏｎ  Ｂｏａｒｄ）型のモジュールが用いられてもよい。また、第一光源１２１及び第二光源１２２が有する発光素子は、ＬＥＤに限定されず、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００３２】
なお、もう一方側の発光モジュール２１も同様の構成であるためその説明を省略する。
【００３３】
［レンズカバー］
図２及び図３に示すように、一対のレンズカバー２３は、第一開口部２０ａを挟むように、第一開口部２０ａに対してＹ軸プラス方向側及びＹ軸マイナス方向側にそれぞれ配置されている。レンズカバー２３は、基板１２０と第一遮光部材５及び第二遮光部材６とによって固定されている。レンズカバー２３は、Ｙ軸方向に長尺な矩形板状をなし、透光性を有する例えば、アクリル、ポリカーボネート等の透明な樹脂材料で形成されている。
【００３４】
レンズカバー２３は、複数の第一光源１２１が出射した光を配光制御するレンズであり、複数のレンズを有する。レンズカバー２３は、複数の第一光源１２１を覆うように、発光モジュール２１に配置されている。具体的には、レンズカバー２３及び複数の第一光源１２１を平面視した場合に、レンズカバー２３に形成されている個々のレンズは、各々の第一光源１２１に一対一で対応している。レンズカバー２３の各々のレンズは、これらに対応する各々の第一光源１２１から出射した光が透過する際に、透過する光の配光角を制御する。
【００３５】
なお、もう一方側のレンズカバー２３も同様の構成であるためその説明を省略する。
【００３６】
［収容体］
収容体２５は、第一収容部２５１と、第二収容部２５２とを備えている。第一収容部２５１は、一対の発光モジュール２１と、一対のレンズカバー２３とを収容する筐体である。具体的には、第一収容部２５１は、Ｙ軸方向に長尺で扁平な筐体であり、Ｚ軸方向のマイナス方向側が全体として開放されている。第一収容部２５１は、第二収容部２５２におけるＺ軸マイナス方向側に配置されている。第一収容部２５１は、平面視矩形状の板状部２５３と、板状部２５３におけるＸ軸方向の両端部から立設する一対の壁部２５４とを備えている。
【００３７】
板状部２５３には、一対の発光モジュール２１が複数の締結部材１９によって固定されている。また、板状部２５３には、一対のレンズカバー２３が第一遮光部材５、第二遮光部材６及び一対の発光モジュール２１を介して固定されている。また、板状部２５３の中央部には、第一開口部２０ａの一部をなす開口２５３ａが形成されている。
【００３８】
壁部２５４の先端部には、板状部２５３と略平行な桁部２５５が形成されている。この桁部２５５には、第一導光板３及び第二導光板４を保持するための複数の貫通孔が、Ｙ軸方向に所定の間隔をあけて形成されている。
【００３９】
第二収容部２５２は、制御部１３と、受信部１４と、電源部１５とを収容する筐体である。具体的には、第二収容部２５２は、Ｙ軸方向に長尺な略直方体状の筐体であり、Ｚ軸方向のマイナス方向側が全体として開放されている。この第二収容部２５２の開放された部分は、第一収容部２５１によって覆われている。
【００４０】
図５は、実施の形態に係る第二収容部２５２と、当該第二収容部２５２に収容される各部材との概略構成を示す分解斜視図である。図６は、実施の形態に係る第二収容部２５２と、当該第二収容部２５２に収容される各部材との概略構成を示す平面図である。
【００４１】
図５及び図６に示すように、第二収容部２５２は、平面視矩形状の板状部２５７と、板状部２５３の全周から立設する壁部２５８とを備えている。
【００４２】
壁部２５８の先端部は、板状部２５７と略平行な桁部２５９が形成されている。この桁部２５９には、第一収容部２５１が図示しない締結部材によって固定される。
【００４３】
板状部２５７には、複数の回路基板２６０ａ、２６０ｂと、複数の回路基板２６０ａ、２６０ｂが取り付けられた取付板２６３とが、図示しない締結部材によって固定されている。板状部２５７の中央部には、第一開口部２０ａの一部をなす開口２５７ａが形成されている。
【００４４】
取付板２６３は、Ｙ軸方向に長尺な平面視略矩形状に形成されており、その全周にわたってリブ２７１が設けられている。また、取付板２６３には、第一開口部２０ａの一部をなす円筒部２７２が設けられている。円筒部２７２は、取付板２６３におけるＹ軸プラス方向側に偏った位置に配置されている。このため、取付板２６３は、円筒部２７２よりもＹ軸プラス方向側の面積が大きく、円筒部２７２よりもＹ軸マイナス方向側の面積が小さくなっている。円筒部２７２は、取付板２６３に固定された際には、板状部２５７の開口２５７ａと連通する。固定後においては、円筒部２７２よりもＹ軸プラス方向側においては、取付板２６３は、板状部２５７を概ね覆っている。他方、円筒部２７２よりもＹ軸マイナス方向側においては、取付板２６３は、板状部２５７を半分程度覆っている。つまり、板状部２５７においては、取付板２６３によって覆われていない領域が存在する。当該領域は、余剰領域ｒであり、別の回路基板などを設置することが可能である。
【００４５】
また、取付板２６３には、円筒部２７２をＹ軸方向で挟むように、複数の回路基板２６０ａ、２６０ｂが配置されている。
【００４６】
複数の回路基板２６０ａ、２６０ｂは、配置箇所に対応した大きさに形成されている。例えば、回路基板２６０ａは、取付板２６３における円筒部２７２よりもＹ軸プラス方向側に配置されている。一方、回路基板２６０ｂは、取付板２６３における円筒部２７２よりもＹ軸マイナス方向側に配置されている。
【００４７】
複数の回路基板２６０ａ、２６０ｂには、制御部１３、受信部１４及び電源部１５をなす複数の回路部品が実装されている。複数の回路部品は、重量が所定値よりも重い第一回路部品９１と、重量が所定値よりも軽い第二回路部品９２とを含んでいる。ここで、第一回路部品９１と、第二回路部品９２とは、それぞれ複数ある。また、所定値とは、回路部品を重さで分類する際の基準値である。例えば、所定値としては、複数の回路基板２６０ａ、２６０ｂに実装される全ての回路部品の平均重量などが挙げられる。
【００４８】
第一回路部品９１としては、例えば、電解コンデンサ、コイル、トランス、ノイズフィルタなどが挙げられる。第二回路部品９２としては、例えば、セラミックコンデンサ、抵抗素子、半導体素子などが挙げられる。なお、ここで例示したものはあくまで各回路部品の一般的な重量から第一回路部品９１及び第二回路部品９２に分類したものである。実際には、回路基板２６０ａ、２６０ｂに実装される複数の回路部品を、上述した所定値を基準として第一回路部品９１及び第二回路部品９２に分類するものとする。
【００４９】
図６に示すように、第二収容部２５２内において、第一開口部２０ａを挟んだ一対の第一領域Ｒ１及び第二領域Ｒ２を、内側領域Ｒｉと外側領域Ｒｏとに区分する。内側領域Ｒｉは、装置本体２の第一開口部２０ａ側の領域（図６では破線内の領域）である。外側領域Ｒｏは、内側領域Ｒｉよりも外側に位置する領域（図６では二点鎖線内の領域）である。内側領域Ｒｉと外側領域Ｒｏの大きさは任意に設定可能であるが、第一領域Ｒ１と第二領域Ｒ２とで同じ大きさにされていればよい。また、第一領域Ｒ１の内側領域Ｒｉと外側領域Ｒｏとには、回路基板２６０ａが配置されている。第二領域Ｒ２の内側領域Ｒｉには、回路基板２６０ｂが存在しており、外側領域Ｒｏは余剰領域ｒとなっている。
【００５０】
内側領域Ｒｉにおいては、第一回路部品９１の実装密度が、外側領域Ｒｏよりも高くなっている。実装密度とは、単位面積に実装された複数の回路部品のうち、第一回路部品９１が占める割合である。例えば、実装密度としては、個数密度、面積密度、重量密度のいずれでもよい。個数密度は、単位面積あたりに設置された総回路部品数に対する第一回路部品９１の設置個数の割合である。面積密度とは、単位面積あたりに設置された回路部品の総面積に対する第一回路部品９１の面積の割合である。この場合の面積とは、回路基板２６０ａ、２６０ｂを平面視した場合の面積である。重量密度とは、単位面積あたりに設置された回路部品の総重量に対する第一回路部品９１の総重量の割合である。
【００５１】
図６では、第一領域Ｒ１の内側領域Ｒｉ及び外側領域Ｒｏと、第二領域Ｒ２の内側領域Ｒｉとのそれぞれで第一回路部品９１と第二回路部品９２とが混在している場合を例示している。この場合、内側領域Ｒｉ及び外側領域Ｒｏ内においても、装置本体２の第一開口部２０ａ側（装置本体２の中央部側）が、第一回路部品９１の実装密度が高くなるように配置することも可能である。
【００５２】
なお、図６では、第一領域Ｒ１の内側領域Ｒｉ及び外側領域Ｒｏと、第二領域Ｒ２の内側領域Ｒｉとのそれぞれで第一回路部品９１と第二回路部品９２とが混在している場合を例示した。しかし、内側領域Ｒｉには第一回路部品９１のみを複数配置し、外側領域Ｒｏには第二回路部品のみを複数配置することも可能である。
【００５３】
一対の内側領域Ｒｉにおいては、第一開口部２０ａを中心とした重量バランスが均等化されるように、複数の第一回路部品９１及び複数の第二回路部品９２が配置されている。なお、内側領域Ｒｉに第二回路部品９２を配置しない場合には、複数の第一回路部品９１のみの配置を調整することで、第一開口部２０ａを中心とした重量バランスを均等化すればよい。
【００５４】
［制御部］
制御部１３は、第一光源１２１、第二光源１２２及び受信部１４と電気的に接続されている。制御部１３は、例えば点灯回路部を制御することで、第一光源１２１及び第二光源１２２から出射させる光を調光制御及び調色制御することができる。制御部１３は、リモコンから送信される信号に基づいて第一光源１２１及び第二光源１２２を制御する。例えば、制御部１３は、Ｙ軸プラス方向側の複数の第一光源１２１だけの点灯、Ｙ軸マイナス方向側の複数の第一光源１２１だけの点灯、全ての第一光源１２１だけの点灯、Ｘ軸プラス方向側で配列された複数の第二光源１２２だけの点灯、Ｘ軸マイナス方向側で配列された複数の第二光源１２２だけの点灯、又は、これらの組み合わせによる点灯を制御することができる。
【００５５】
制御部１３は、たとえば、ＣＰＵ（Ｃｅｎｔｒａｌ  Ｐｒｏｃｅｓｓｉｎｇ  Ｕｎｉｔ）を備えたマイクロコンピュータを用いて構成することができる。制御部１３は、例えば記憶部に記憶させた適宜のプログラムを実行させることで、所定の照明制御動作を行うことができる。記憶部は、たとえば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｏａｄ  Ｏｎｌｙ  Ｍｅｍｏｒｙ）などの不揮発性半導体メモリを用いて構成することができる。
【００５６】
［受信部］
図２に示すように、受信部１４は、例えばリモコンから送信される信号を受信できるように構成されている。受信部１４は、赤外線受光素子、赤外線受光素子の出力を増幅し所定の信号処理を行う信号処理部等で構成される。リモコンからの信号には、第一光源１２１及び第二光源１２２を調光制御する調光指令、第一光源１２１及び第二光源１２２を調色制御する調色指令などの情報が含まれている。受信部１４は、赤外線受光素子で受信した信号から復調した情報を、信号処理部が制御部１３に出力する。
【００５７】
［電源部］
図２及び図３に示すように、電源部１５は、外部からの電力によって駆動する駆動回路、発光モジュール２１を発光させるための電力を供給するケーブル等を有する。電源部１５は、ケーブルを介して発光モジュール２１に電力を供給する。
【００５８】
［導光板］
図３に示すように、第一導光板３は、複数の第一光源１２１のＸ軸プラス方向側に配置されている。第一導光板３は、Ｘ軸マイナス方向側の一端部が外装カバー１２内で固定され、Ｘ−Ｙ平面と略平行となるように支持されている。第一導光板３は、Ｙ軸方向に長尺な板材であり、第一光源１２１のＸ軸プラス方向側に配列された複数の第二光源１２２からの光を導光する光学部材である。第一導光板３は、アクリル、ポリカーボネート等の樹脂又はガラス等の透光性の部材であるが、透光性があればその他どのような材料で形成されてもよい。なお、第一導光板３の形状は、矩形状に限らず、円盤状でもよく、多角形状など、他の形状でもよい。第一導光板３は、導光板の一例である。
【００５９】
第一導光板３は、湾曲部３１と、平板部３５と、複数の係合部３９とを有する。
【００６０】
湾曲部３１は、第一導光板３におけるＸ軸マイナス方向の一端部側の部分であり、レンズカバー２３に沿ってＹ軸方向に長尺である。湾曲部３１は、Ｚ−Ｘ平面で切断した場合の断面視で、第二光源１２２側から略円弧状に湾曲している。湾曲部３１は、第二光源１２２が出射した光を平板部３５に向けて導光する。
【００６１】
湾曲部３１は、入射面３１ａと、外径面３１ｂと、内径面３１ｃと、一対の突出部３２とを有する。
【００６２】
入射面３１ａは、複数の第二光源１２２からの光が入射する面である。入射面３１ａは、複数の第二光源１２２からの光が入射するように、複数の第二光源１２２の光軸と略垂直に配置されている。つまり、入射面３１ａは、複数の第二光源１２２が配列されたＹ軸方向に沿って形成されている。入射面３１ａは、第一導光板３の側面の一部である。
【００６３】
外径面３１ｂは、相対する第一遮光部材５側の面であり、主に平板部３５へ光を導光させるように光を反射する湾曲した面である。外径面３１ｂは、Ｘ軸プラス方向側の第一遮光部材５に沿ってＹ軸方向に長尺である。
【００６４】
内径面３１ｃは、外径面３１ｂと反対側の面であり、主に平板部３５へ光を導光させるように光を反射する湾曲した面である。内径面３１ｃは、Ｙ軸方向に長尺である。
【００６５】
突出部３２は、Ｙ軸方向に延設する入射面３１ａの両端縁に、Ｙ軸方向に沿って形成されている。一対の突出部３２は、複数の第二光源１２２をＸ軸方向で挟むように配置されている。このため、複数の第二光源１２２から出射された光は、一対の突出部３２によって入射面３１ａに向けて集光される。
【００６６】
係合部３９は、湾曲部３１の第一光源１２１側の端部から突出している。この係合部３９は、第一遮光部材５、第一導光板３及び発光モジュール２１とともに、締結部材１９によって共締めされる。
【００６７】
平板部３５は、湾曲部３１を通過した光を導光して出射することで、当該平板部３５の周囲を照明する板状部である。平板部３５は、Ｘ−Ｙ平面と略平行に保持されている。平板部３５は、装置本体２の長尺な縁辺から外方に向けて延設している。また、平板部３５は、Ｙ軸方向に長尺な矩形板状の平板である。
【００６８】
平板部３５は、プリズム面３５ａと、出射面３５ｂとを有する。
【００６９】
プリズム面３５ａは、平板部３５のＺ軸プラス方向側の面である。プリズム面３５ａは、Ｘ−Ｙ平面と略平行である。プリズム面３５ａは、平板部３５が導光する光を出射面３５ｂ側に向けて反射するように形成された面である。具体的には、プリズム面３５ａには、Ｚ軸マイナス方向に凹むプリズムが複数形成されている。プリズムは、例えば、円錐状、角錐状、円錐台状、角錐台状、半球状等に凹んだ形状であってもよい。なお、プリズム面３５ａは、光を反射するだけでなく、例えば天井等を照明する光を出射してもよい。また、プリズム面３５ａは、切削や、印刷などによって形成することが可能である。
【００７０】
出射面３５ｂは、平板部３５のＺ軸マイナス方向側の面であり、プリズム面３５ａと反対側の面である。出射面３５ｂは、Ｘ−Ｙ平面と略平行な平面である。出射面３５ｂは、例えば床、壁等を照明する光を出射する。
【００７１】
第二導光板４は、複数の第一光源１２１のＸ軸マイナス方向側に配置されている。第二導光板４は、Ｘ軸マイナス方向側の一端部が外装カバー１２内で固定され、Ｘ−Ｙ平面と略平行となるように支持されている。第二導光板４は、Ｙ軸方向に長尺な板状であり、第一光源１２１のＸ軸マイナス方向側に配列された第二光源１２２からの光を導光する光学部材である。第二導光板４は、導光板の一例である。
【００７２】
なお、第二導光板４については、装置本体２の中心を通過するＹ−Ｚ平面に対して第一導光板３と対称な構成である。つまり、第一導光板３及び第二導光板４は、装置本体２における互いに対向する長尺な一対の縁辺のそれぞれから外方に向けて延設している。このため、第二導光板４における第一導光板３と同等の部分については同じ符号を用いて他の説明を省略する。
【００７３】
［支持部材］
支持部材８は、Ｙ軸方向に沿って長尺な板材であり、第一導光板３の平板部３５を本体モジュール２０に支持する部材である。支持部材８は、平板部３５の出射面３５ｂ側に配置される。支持部材８と、第二収容部２５２の桁部２５５の貫通孔とに対して図示しないネジを挿入して締結すると、支持部材８と桁部２５５とが第一導光板３の平板部３５を挟持する。これにより支持部材８が第一導光板３を下方から支持するので、当該第一導光板３の姿勢が保持されることとなる。
【００７４】
［遮光部材］
第一遮光部材５は、複数の第一光源１２１が出射する光が第一導光板３に入射しないように、第一導光板３の湾曲部３１と複数の第一光源１２１との間に配置されている。第一遮光部材５は、第一導光板３及びレンズカバー２３に沿って、Ｙ軸方向に長尺である。第一遮光部材５は、第一導光板３における湾曲部３１の外径面３１ｂから出射する光を遮光する。また、第一遮光部材５は、光を反射する光反射機能を有する。第一遮光部材５は、例えばポリブチレンテレフタレート等の非透光性の白色樹脂等で形成されている。また、第一遮光部材５は、アクリルやポリカーボネート等の樹脂材料に白色の樹脂を塗装して形成してもよい。なお、第一遮光部材５は、光拡散機能を有していてもよい。
【００７５】
なお、もう一方の第二遮光部材６については、装置本体２の中心を通過するＹ−Ｚ平面に対し第一遮光部材５と対称な構成であるため、第一遮光部材５と同等の部分については同じ符号を用いて他の説明を省略する。
【００７６】
［透光カバー］
図２及び図３に示すように、透光カバー７は、装置本体２のＺ軸マイナス方向側に配置されている。透光カバー７は、照明装置１をＺ軸方向から見た場合において複数の第一光源１２１を覆うカバー部材であり、複数の第一光源１２１から出射した光が透過する透光性を有する。透光カバー７は、Ｙ軸方向に長尺な矩形状である。透光カバー７は、例えばアクリルやポリカーボネート等の透光性樹脂又はガラス等の透光性を有する材料で構成されている。透光カバー７は、さらに、光拡散性を有していてもよい。つまり、透光カバー７は、透明カバーではなく、透光性及び光拡散性を有する拡散カバーであってもよい。この場合、透光カバー７は、光拡散材が内部に分散された乳白色の拡散パネルとすることができる。このような拡散カバーは、光拡散材を混合した透光性樹脂材料を所定形状に樹脂成型することによって作製することができる。光拡散材としては、シリカ粒子等の光反射性微粒子を用いることができる。
【００７７】
透光カバー７は、第一透光カバー７０と、第二透光カバー８０とを有する。
【００７８】
第一透光カバー７０は、照明装置１をＺ軸方向から見た場合における外側のカバー部材である。第一透光カバー７０は、Ｙ軸方向に長尺な矩形板状である。第一透光カバー７０は、図示しない複数の係止片を有しており、この複数の係止片が第二透光カバー８０を係止することで、第二透光カバー８０を保持している。
【００７９】
第二透光カバー８０は、第一透光カバー７０と装置本体２との間に配置される。第二透光カバー８０は、カバー枠部８１と、カバー枠部８１の内側から、湾曲部３１に沿うように傾斜した傾斜部８３とを有する。
【００８０】
カバー枠部８１は、Ｙ軸方向に長尺な矩形板状の枠体であり、第一透光カバー７０の複数の係止片と係合している。傾斜部８３は、カバー枠部８１の内縁側に形成され、カバー枠部８１に沿ってＹ軸方向に長尺である。傾斜部８３は、Ｚ−Ｘ平面で切断した断面を見た場合に、第一遮光部材５及び第二遮光部材６に沿うように、円弧状に湾曲している。
【００８１】
［動作］
このような照明装置１では、複数の第一光源１２１から出射した光は、レンズカバー２３のレンズで配光制御されて透光カバー７を透光し、照明装置１のＺ軸方向に進む。また、Ｙ軸プラス方向側及びＹ軸マイナス方向側の複数の第二光源１２２から出射した光は、第一導光板３及び第二導光板４の各々の入射面３１ａに入射して湾曲部３１及び平板部３５を導光する。湾曲部３１では、内径面３１ｃ及び外径面３１ｂで反射されたり、外径面３１ｂから出射しても第一遮光部材５及び第二遮光部材６で反射された光が入射したりする。平板部３５を導光する一部の光は、プリズム面３５ａで反射されて出射面３５ｂに向かい、出射面３５ｂから出射する。こうして、この照明装置１では、透光カバー７、第一導光板３及び第二導光板４の各々から光を出射することで、周囲を照明することができる。
【００８２】
［作用効果］
次に、本実施の形態における照明装置１の作用効果について説明する。
【００８３】
上述したように、本実施の形態に係る照明装置１は、第一開口部２０ａを有する長尺な装置本体２と、装置本体２に収容される回路基板２６０ａ、２６０ｂとを備えている。回路基板２６０ａ、２６０ｂに実装される複数の回路部品は、重量が所定値よりも重い第一回路部品９１と、重量が所定値よりも軽い第二回路部品９２とを含み、第一回路部品９１の実装密度が装置本体２の第一開口部２０ａ側で高くなるように、配置されている。
【００８４】
この構成によれば、装置本体２の中央部には、取付用の第一開口部２０ａが設けられているために、当該第一開口部２０ａを介して照明装置１が支持されることになる。つまり、第一開口部２０ａの近傍である装置本体２の中央部では、当該中央部の外方よりも安定して支持されることとなる。そして、第一回路部品９１の実装密度が、装置本体２の第一開口部２０ａ側で高くなっているので、照明装置１全体の重量バランスとしては、第一開口側２０ａ側を重く、その外方側を軽くすることができる。これらのことにより、第一開口部２０ａを基点とした上下方向の傾きを抑制することができ、照明装置１の安定性を確保することができる。
【００８５】
また、照明装置１は、さらに、装置本体２から外方に向けて延設するように、装置本体２に取り付けられた導光板（第一導光板３または第二導光板４）を備えている。
【００８６】
ここで、装置本体２から外方に向けて延設した導光板を備えた照明装置１においては、例えば空調装置からの風の影響を受けやすい。導光板に風があたると、照明装置１全体が揺れてしまうおそれがある。これは、周囲の人に物理的な不安を与えるだけでなく、照明装置１から出射された光も揺らしてしまうために、光学的な違和感を周囲の人に与えてしまう。しかしながら、上述したように、照明装置１全体の重量バランスが、第一開口部２０ａ側が重く、その外方側が軽くなっていれば、照明装置１が揺れたとしても減衰しやすい。つまり、照明装置１の揺れを小さくすることができる。
【００８７】
また、第一導光板３及び第二導光板４は、装置本体２における互いに対向する長尺な一対の縁辺のそれぞれから外方に向けて延設している。
【００８８】
ここで、装置本体２における互いに対向する長尺な一対の縁辺から、第一導光板３及び第二導光板４が外方に向けて延設する照明装置１においては、空調装置からの風の影響などをより受けやすい。しかし、上述したように、照明装置１全体の重量バランスが、第一開口部２０ａ側が重く、外方側が軽くなっているので、照明装置１の揺れを小さくすることができる。
【００８９】
また、装置本体２には、当該装置本体２と造営材との間に介在する緩衝材３００が設けられているので、緩衝材３００が照明装置１の揺れを吸収することができる。したがって、照明装置１の揺れをより抑えることができる。
【００９０】
（その他変形例等）
以上、本発明について、実施の形態に基づいて説明したが、本発明は、上記実施の形態に限定されるものではない。以降の説明において、上記実施の形態と同一の部分においては、同一の符号を付してその説明を省略する場合がある。
【００９１】
例えば、上記実施の形態では、装置本体２に２つの回路基板２６０ａ、２６０ｂが収容されている場合を例示した。しかし、回路基板は１つであっても、３つ以上であっても構わない。また、上記実施の形態では、第二領域Ｒ２の外側領域Ｒｏは、余剰領域ｒとなっており、回路基板が存在していない場合を例示した。しかしながら、外側領域Ｒｏにおいても回路基板を設置してもよい。例えば、回路基板２６０ｂをより大型化して、余剰領域ｒに配置してもよいし、回路基板２６０ｂとは別体の回路基板を余剰領域ｒに配置してもよい。いずれの場合においても、各回路基板では、第一回路部品の実装密度が装置本体２の第一開口部２０ａ側で高くなっていればよい。
【００９２】
また、上記実施の形態では、一対の導光板（第一導光板３及び第二導光板４）を備えた照明装置１を例示して説明したが、導光板の設置個数は、１つであっても３つ以上であってもよい。また、導光板は、装置本体を囲むように配置された環状体であってもよい。また、導光板を備えていなくとも、長尺な装置本体を備える照明装置であればよい。
【００９３】
また、上記実施の形態では、第一領域Ｒ１及び第二領域Ｒ２を、それぞれ外側領域Ｒｏと内側領域Ｒｉとに区分して、内側領域Ｒｉの方が外側領域Ｒｏよりも第一回路部品９１の実装密度が高いこととした。しかし、第一領域Ｒ１及び第二領域Ｒ２を区分けしなくとも、第一領域Ｒ１及び第二領域Ｒ２のそれぞれの全体として、第一回路部品の実装密度が装置本体２の第一開口部２０ａ側で高くなっていればよい。
【００９４】
また、上記実施の形態では、取付用の第一開口部２０ａが装置本体２の中央部に設けられている場合を例示した。しかしながら、装置本体の中央部以外に第一開口部が設けられていてもよい。なお、上述したように、取付用の第一開口部２０ａが装置本体２の中央部に設けられていると、重量バランスを均等化しやすいので好適である。
【００９５】
また、照明装置１は、スピーカを有していてもよい。スピーカは、Ｗｉ−Ｆｉ（登録商標）、ｂｌｕｅｔｏｏｔｈ（登録商標）等の近距離無線通信によって、外部装置から音声信号を受信し、音声信号に基づいた音声を出力してもよい。この場合、スピーカ用のアンテナが本体モジュールに配置されていてもよい。
【００９６】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【００９７】
１  照明装置
２  装置本体
３  第一導光板（導光板）
４  第二導光板（導光板）
２０ａ  第一開口部（開口部）
９１  第一回路部品
９２  第二回路部品
２６０ａ、２６０ｂ  回路基板
３００  緩衝材
【図１】
2019016551.tif 000003
【図２】
2019016551.tif 000004
【図３】
2019016551.tif 000005
【図４】
2019016551.tif 000006
【図５】
2019016551.tif 000007
【図６】
2019016551.tif 000008